(57)【要約】【課題】複数の二次電池の充電時や放電時における放熱を従来技術に比べて効率良く行うことができる組電池を提供する。【解決手段】組電池１０は、柱状であり側面１２が負極を形成する複数の二次電池１１と、二次電池１１が挿入される通孔２２ｂを有し、二次電池１１の側面１２と電気的に接触可能な導電材製のフィン２２とを備え、フィン２２は二次電池１１の負極端子を形成する。フィン２２は複数枚でありフィン２２を連結する導電材製の連結体２３を備える。【選択図】図１
2012190716.tif 000002
【特許請求の範囲】
【請求項１】
柱状であり側面が負極を形成する複数の二次電池と、前記二次電池が挿入される通孔を有し、前記二次電池の側面と電気的に接触可能な導電材製のフィンとを備え、前記フィンは前記二次電池の負極端子を形成することを特徴とする組電池。
【請求項２】
前記フィンは複数枚であり前記フィンを連結する導電材製の連結体を備える請求項１に記載の組電池。
【請求項３】
前記フィンは前記通孔の周端に、前記二次電池の挿入される方向に突出された突出部を備えており、前記二次電池の前記側面が前記突出部と接触している請求項１又は請求項２に記載の組電池。
【請求項４】
前記突出部は内部が前記通孔を形成する筒部であり、前記二次電池の前記側面が前記筒部に嵌合されている請求項３に記載の組電池。
【発明の詳細な説明】
【技術分野】
【０００１】
本発明は、組電池に関する。
【背景技術】
【０００２】
近年、二次電池の大電流充電・放電及び大容量化が要求されるようになり、ニッケル水素電池を始めとする高エネルギー密度二次電池の開発が活発に行われている。しかし、大電流での充・放電は電池内部の大きな発熱を伴い、また限られたスペースに多数の電池を収納することから電池温度が上昇し、電池性能の劣化を促進してしまうという問題がある。
【０００３】
このような問題を解決するため、電池内部の発熱の効率良い放熱効果を持つ組電池が提案されている（特許文献１参照）。特許文献１には、図６（ａ）に示すように、複数の電池５１が、複数枚の金属製のフィン５２が平行に配置されるとともにバー５３で連結されたフィンブロック５４に所定間隔をおいて取り付けられた組電池が提案されている。電池５１は、一端に設けられた正極端子５１ａ及び負極端子５１ｂの部分を除き内部との絶縁性を持たせている。図６（ｂ）に示すように、フィン５２には貫通穴５２ａとフィン５２の面方向に垂直に立ち上がるフランジ部５２ｂより構成される取付部５２ｃが複数形成され、電池５１は各取付部５２ｃに嵌合することでフィンブロック５４の所定位置に固定保持されている。電池５１で発生した熱は取付部５２ｃを通してフィン５２に伝導され、外部空気との間で熱交換を行うことにより電池５１が冷却される。
【先行技術文献】
【特許文献】
【０００４】
【特許文献１】特開２０００−２１４５６号公報
【発明の概要】
【発明が解決しようとする課題】
【０００５】
ところが、特許文献１の組電池では、フィン５２は電池５１の電気絶縁性の材質で形成されたケース（カバー）の部分と接触する構成であり、電池５１の熱が必ずしもフィン５２に効率良く伝導しない。そのため、大容量の二次電池や急速充電あるいは急速放電の場合、放熱が不十分になる。また、電気絶縁性のケースを電池５１の電極端子として用いることができない。
【０００６】
本発明は前記の問題に鑑みてなされたものであって、その目的は複数の二次電池の充電時や放電時における放熱を従来技術に比べて効率良く行うことができる組電池を提供することにある。
【課題を解決するための手段】
【０００７】
前記の目的を達成するため、請求項１に記載の発明は、柱状であり側面が負極を形成する複数の二次電池と、前記二次電池が挿入される通孔を有し、前記二次電池の側面と電気的に接触可能な導電材製のフィンとを備え、前記フィンは前記二次電池の負極端子を形成する。
【０００８】
柱状であり側面が負極を形成する二次電池は、側面の負極が露出した状態で他の二次電池等と電気的に接触するのを防止するため、側面は絶縁材で被覆されている。しかし、この発明の組電池は、各二次電池（単電池）として負極を形成する側面が絶縁材で被覆されていない二次電池が使用される。また、導電材製のフィンは二次電池の側面と電気的に接触可能である。電気的に接触可能とは、二次電池の側面が絶縁材で被覆されておらず、導電性のフィンと接触することで、二次電池の側面とフィンとの間に通電可能であることを指す。そして、組電池は放熱機能を有する導電材製のフィンが負極端子を兼ねる。そのため、組電池を使用する場合、各二次電池で発生した熱は、負極である側面に直接接触しているフィンを介して効率良く放熱される。また、負極に向かって流れる電流はフィンを流れ、単位断面積当たりに流れる電流が小さくなって、電流が流れる際の電気抵抗による熱が発生し難くなる。したがって、複数の二次電池の充電時や放電時における放熱を従来技術に比べて効率良く行うことができる。
【０００９】
請求項２に記載の発明は、請求項１に記載の発明において、前記フィンは複数枚であり前記フィンを連結する導電材製の連結体を備える。組電池を使用するとき、組電池の負極を電機機器の負極端子あるいは直列で使用する他の組電池の正極端子に接続する際、負極端子としての複数枚の各フィンそれぞれに配線を接続してもよい。しかし、この発明では導電材製の連結体あるいは複数枚のフィンのうちの１枚のフィンに１本の配線を接続することで、各フィンを接続すべき端子と電気的に接続することができ、接続に必要な部品点数及び接続作業の工数を少なくすることができる。
【００１０】
請求項３に記載の発明は、請求項１又は請求項２に記載の発明において、前記フィンは前記通孔の周端に、前記二次電池の挿入される方向に突出された突出部を備えており、前記二次電池の前記側面が前記突出部と接触している。この発明では、二次電池は、二次電池の側面が通孔の端面とだけでなく突出部とも接触しているため、負極を形成する側面とフィンとの接触面積が、突出部との接触面積分だけ大きくなり、突出部が設けられていないフィンに比べて熱伝導が効率良く行われるとともにフィンと側面との電気的な接触抵抗が小さくなる。
【００１１】
請求項４に記載の発明は、請求項３に記載の発明において、前記突出部は内部が前記通孔を形成する筒部であり、前記二次電池の前記側面が前記筒部に嵌合されている。この発明では、突出部が筒状（環状）ではなく環状の一部が欠けたものや、通孔の周端から数箇所突起が形成されているものに比べて、負極を形成する側面とフィンとの接触面積が大きくなり、熱伝導がより効率良く行われるとともにフィンと側面との電気的な接触抵抗がより小さくなる。
【発明の効果】
【００１２】
本発明によれば、複数の二次電池の充電時や放電時における放熱を従来技術に比べて効率良く行うことができる。
【図面の簡単な説明】
【００１３】
【図１】（ａ）は一実施形態の組電池の概略斜視図、（ｂ）は組電池の概略側断面図。
【図２】複数の組電池が収容された電池モジュールの概略平断面図。
【図３】（ａ）は別の実施形態の組電池の概略側断面図、（ｂ），（ｃ）は別の実施形態の筒部の断面図。
【図４】（ａ）は別の実施形態の組電池の部分側断面図、（ｂ）は別の実施形態の組電池の概略平面図。
【図５】（ａ）は別の実施形態の組電池の概略側断面図、（ｂ）は別の実施形態の電池モジュールの概略平面図。
【図６】（ａ）は従来技術の組電池の模式斜視図、（ｂ）は取付部の斜視図。
【発明を実施するための形態】
【００１４】
以下、本発明を具体化した一実施形態を図１及び図２にしたがって説明する。
図１（ａ），（ｂ）に示すように、組電池１０は、柱状であり側面１２が負極を形成する複数の二次電池１１と、各二次電池１１が挿入される通孔２２ｂを有し、二次電池１１の側面１２と電気的に接触可能な導電材製のフィン２２とを備えている。フィン２２は二次電池の負極端子を形成する。即ち、フィン２２は各二次電池１１の放熱機能及び負極端子機能を有する。
【００１５】
二次電池１１には円柱状の円筒形電池が使用されている。円筒形電池は、図示しない帯状の正極板と負極板とがセパレータを介して渦巻状に巻かれた状態で円筒状の金属容器に収納、密閉された構成で、一端に正極端子１３を有し、円筒状の金属容器が二次電池１１の負極を構成している。一般には、金属容器のうちの円筒部が絶縁材で被覆されて底部が負極端子となるが、この実施形態では金属容器は絶縁材で被覆されずに負極が底部以外の円筒部でも露出した状態で使用されることにより、二次電池１１の側面１２が負極を形成する。
【００１６】
フィン２２は複数枚であり、各フィン２２が導電材製の連結体２３で連結されて、フィンブロック２１が構成されている。即ち、フィンブロック２１は複数の二次電池１１の側面１２とそれぞれ複数箇所で接触して位置決めを行う。
【００１７】
各フィン２２の通孔２２ｂの周端には、二次電池１１の挿入される方向に突出された突出部としての筒部２２ａが設けられている。筒部２２ａは内部が通孔２２ｂを形成する。二次電池１１は筒部２２ａに嵌合されている。筒部２２ａはバーリング加工によりフィン２２と一体形成されている。フィン２２は熱伝導性及び電気伝導性の良好な金属、例えば、アルミニウム、銅、鉄、マグネシウムあるいは合金で形成されている。二次電池１１はフィン２２を貫通し、かつ側面１２が筒部２２ａに嵌合する状態でフィンブロック２１に支持されている。この実施形態では、筒部２２ａは千鳥状に配置されている。
【００１８】
連結体２３は帯状の金属板材で形成され、各フィン２２の端部においてフィン２２と直交する状態で複数個所に設けられている。連結体２３は各フィン２２に対する接続部２３ａが屈曲形成され、接続部２３ａにおいてフィン２２に固着されている。金属板材は電気伝導性の良好な金属、例えば、アルミニウム、銅で形成されている。複数の連結体２３のうちの１つに配線連結部２３ｂが形成され、配線連結部２３ｂに負極用配線１４が接続されている。配線連結部２３ｂが形成された連結体２３は負極端子を兼ねている。
【００１９】
次に前記のように構成された組電池１０の作用を説明する。
組電池１０は単独でも使用されるが、大電力を必要とする機器、例えば、電気自動車などのモータ駆動用の大容量、高電圧の電源装置として使用する場合は、複数の組電池１０を直列に接続した電池モジュールとして使用される。図２に示すように、電池モジュール３０は、ハウジング３１内に複数の組電池１０が収容されている。ハウジング３１は、吸気ダクト３２と排気ダクト３３を備えており、図示しないファンやブロアー等の送風手段により吸気ダクト３２からハウジング３１内に空気が供給されるとともに排気ダクト３３から排出されるようになっている。吸気ダクト３２側には供給される空気をハウジング３１内全体に均等に流れるようにガイドするためのガイド３４が設けられている。なお、組電池１０を直列に接続する場合、各組電池１０の二次電池１１の正極端子１３が接続された図示しない共通の配線に、負極用配線１４が接続されることにより複数の組電池１０が直列に接続される。
【００２０】
電池モジュール３０が大容量、高電圧の電源装置として使用される場合、急速充電時や急速放電時に二次電池１１の発熱が大きくなる。吸気ダクト３２からハウジング３１内に供給された空気は、二次電池１１の側面１２や、側面１２に接続されているフィン２２に接触した後、排気ダクト３３から排出される。組電池１０を使用する場合、電流はフィン２２を流れ、単位断面積当たりに流れる電流が小さくなって、電流が流れる際の電気抵抗による熱が発生し難くなる。また、側面１２が絶縁材で被覆されずに、フィン２２は負極となる側面１２に直接接触しているため、二次電池１１で発生した熱が効率良くフィン２２に伝導され、吸気ダクト３２から供給されてハウジング３１内を流れた後、排気ダクト３３から排出される空気に運び去られて放熱が効率良く行われる。また、側面１２からの放熱も絶縁材による被覆がないため、効率良く行われる。
【００２１】
この実施形態によれば、以下に示す効果を得ることができる。
（１）組電池１０は、柱状であり側面１２が負極を形成する複数の二次電池１１と、二次電池１１が挿入される通孔２２ｂを有し、二次電池１１の側面１２と電気的に接触可能な導電材製のフィン２２とを備え、フィン２２は二次電池１１の負極端子を形成する。したがって、組電池１０を使用する場合、流れる電流による発熱が抑制されるとともに、二次電池１１で発生した熱が効率良く側面１２及びフィン２２により放熱され、組電池１０を構成する複数の二次電池１１の充電時や放電時における放熱を従来技術に比べて効率良く行うことができる。
【００２２】
（２）フィン２２は複数枚でありフィン２２を連結する導電材製の連結体２３を備えている。したがって、組電池１０の負極を電機機器の負極端子あるいは直列で使用する他の組電池１０の正極端子１３に接続する際、負極端子を兼ねる複数枚の各フィン２２それぞれに配線を接続するのに比べて、接続に必要な部品点数及び接続作業の工数を少なくすることができる。
【００２３】
（３）フィン２２は通孔２２ｂの周端に、二次電池１１の挿入される方向に突出された突出部を備えており、二次電池１１の側面１２が前記突出部と接触している。したがって、二次電池１１は、負極を形成する側面１２とフィン２２との接触面積が、突出部が設けられた分だけ大きくなり、突出部が設けられていないフィン２２に比べて熱伝導が効率良く行われるとともにフィン２２と側面１２との電気的な接触抵抗が小さくなる。
【００２４】
（４）前記突出部として内部が通孔２２ｂを形成する筒部２２ａが形成されており、二次電池１１の側面１２が筒部２２ａに嵌合されている。したがって、突出部が筒状（環状）ではなく環状の一部が欠けたものや、通孔２２ｂの周端から数箇所突起が形成されているものに比べて、負極を形成する側面１２とフィン２２との接触面積が大きくなり、熱伝導がより効率良く行われるとともにフィン２２と側面１２との電気的な接触抵抗がより小さくなる。
【００２５】
（５）組電池１０は、二次電池１１が千鳥状に配置されており、吸気ダクト３２から供給される空気がハウジング３１内で乱流になり、隣接する二次電池１１間の隙間が同じ状態で二次電池１１が碁盤目状に配置された場合に比べて、効率良く放熱が行われる。
【００２６】
（６）筒部２２ａはバーリング加工でフィン２２と一体形成されている。したがって、フィン２２と別に形成した筒部２２ａをフィン２２に形成された孔の周囲に固着する構成に比べて、筒部２２ａを備えたフィン２２を簡単に形成することができる。
【００２７】
（７）筒部２２ａに二次電池１１が嵌合されているため、仮にフィン２２が１枚であっても筒部２２ａにより二次電池１１の位置決めをすることができる。
実施形態は前記に限定されるものではなく、例えば、次のように具体化してもよい。
【００２８】
○  各フィン２２を連結する導電材製の連結体２３を設けずに、各フィン２２を図示しない非導電材製のバー等の連結体で位置決め連結し、図３（ａ）に示すように、各フィン２２に負極用配線１４を接続してもよい。この場合は各フィン２２が負極端子として機能する。また、一部の負極用配線１４が断線しても他の負極用配線１４を介して電流が流れるため、組電池１０全体として負極の断線時のトラブルが小さくなる。
【００２９】
○  フィン２２の筒部２２ａはフィン２２と一体形成された構成に限らない。例えば、図３（ｂ）に示すように、フィン２２と別に形成した筒部２２ａをフィン２２に形成された通孔２２ｂの周囲に図示しない半田で固着した構成や、図３（ｃ）に示すように、フィン２２に形成された通孔２２ｂに嵌合固着した構成にして、通孔２２ｂの周端からフィン２２に対して略垂直方向に設けられる場合であってもよい。
【００３０】
○  通孔２２ｂの周端に、二次電池１１の挿入される方向に突出された突出部は、二次電池１１の周面を環状に取り囲むような筒部２２ａに限らず、環状（筒状）の一部が欠けたものや、通孔２２ｂの周端から数箇所突起が形成されて、突起により二次電池１１の位置決めができるようにしてもよい。突出部は曲げ加工により通孔２２ｂの周囲に形成される。
【００３１】
○  筒部２２ａは必須ではなく、二次電池１１をフィン２２に形成された通孔２２ｂに嵌合する状態でフィンブロック２１に支持される構成としてもよい。
○  連結体２３は接続部２３ａが屈曲形成されたものに限らず、金属製の平板や棒状のバーで構成してもよい。
【００３２】
○  図４（ａ）に示すように、隣接するフィン２２同士を電気的に接続する連結体２３として、隣接するフィン２２間に金属製の波板２４を配置し、波板２４の端部をフィン２２と接続してフィンブロック２１を構成するとともに、１つのフィン２２に負極用配線１４を接続するようにしてもよい。この場合、負極用配線１４が接続されたフィン２２が負極端子として機能する。波板２４が存在することにより、フィンブロック２１の放熱効率が高くなる。なお、負極用配線１４を１つのフィン２２にのみ接続するのではなく、２つ以上のフィン２２に負極用配線１４を接続してもよい。
【００３３】
○  フィンブロック２１は複数のフィン２２が導電材製の連結体２３や波板２４で連結された構成に限らず、例えば、図５（ａ）に示すように、１枚の金属製の薄板を屈曲させて複数のフィン２２が屈曲部２２ｃで連続する構成としてもよい。薄板は、筒部２２ａをバーリング加工で一体形成した後に屈曲させるため、筒部２２ａの突出方向は隣り合うフィン２２の部分で逆方向になるが支障はない。この場合、全てのフィン２２が負極端子として機能する状態となり、導電材製の連結体２３を接続しなくとも１本の負極用配線１４で各フィン２２が電機機器の負極端子あるいは直列で使用する他の組電池の正極端子に接続される。
【００３４】
○  二次電池１１の配置は千鳥状に限らず、図４（ｂ）に示すように、碁盤目状に配置してもよい。
○  二次電池１１は柱状であればよく、円柱状に形成された円筒形電池に限らず、例えば、角柱状に形成された角形電池であってもよい。その場合、筒部２２ａは角筒状に形成される。  
【００３５】
○  フィン２２に二次電池１１の数より多い数の通孔２２ｂが形成されていてもよい。
○  フィン２２の間隔は等間隔に限らない。
○  フィン２２は１枚であってもよい。
【００３６】
○  電池モジュール３０における複数の組電池１０の配置は、二次電池１１の軸方向と直交する方向に組電池１０が隣り合う状態に限らず、図５（ｂ）に示すように、二次電池１１の軸方向に組電池１０が隣り合う状態にしてもよい。
【００３７】
○  電池モジュール３０は複数の組電池を並列に接続した状態でハウジング３１内に収容した構成としてもよい。
○  電池モジュール３０を低温で使用する場合は、吸気ダクト３２から暖気を供給して二次電池１１の温度を適正温度に調整し、急速充電や急速放電のときに二次電池１１の温度が適正温度より高くなるのを防止するための冷却用の空気を供給可能にするため、吸気ダクト３２に暖気及び冷却用の空気の供給を切り替え可能に構成してもよい。
【００３８】
以下の技術的思想（発明）は前記実施形態から把握できる。
（１）請求項２に記載の発明において、前記連結体は配線連結部を備えている。
（２）請求項１〜請求項４及び前記技術的思想（１）のいずれか１項に記載の発明の組電池を複数、吸気ダクト及び排気ダクトを備えたハウジング内に直列状態又は並列状態で収容した電池モジュール。
【符号の説明】
【００３９】
１０…組電池、１１…二次電池、１２…側面、２２…フィン、２２ａ…突出部としての筒部、２２ｂ…通孔、２３…連結体。
【図１】
2012190716.tif 000003
【図２】
2012190716.tif 000004
【図３】
2012190716.tif 000005
【図４】
2012190716.tif 000006
【図５】
2012190716.tif 000007
【図６】
2012190716.tif 000008